(57)【要約】【課題】  １本の巻き上げ紙管にて複数のテープ状の抜き粕をそれぞれ列状に巻き上げを行ったとき、安定に巻き難い問題がありこれを解決しようとするものである。【解決手段】巻き取りリール支持金具に、ストッパーカラー、フェルト、ガイドリール、粕巻取り紙管、ガイドリール、フェルト、巻きテンション調整カラーを順に設け、フェルト、ガイドリール、粕巻取り紙管を巻き取りリール支持金具に固定されたストッパーカラーと巻きテンション調整カラーとの間に巻き取りリール支持金具に支承し、テンション調整カラーを巻き取りリール支持金具と螺子により螺合し、テンション調整カラーを廻し、フェルトを介した摩擦力により粕巻取り紙管による巻き取りテンションを調整可能に構成した巻き取り装置を１列または複数列巻取り軸上に配したテープ状粕巻き取り装置として構成し各列を単独に所定テンションで巻き取ることを可能とする。【選択図】図１
2006008295.tif 000002
【特許請求の範囲】
【請求項１】
巻き取りリール支持金具に、ストッパーカラー、フェルト、ガイドリール、粕巻取り紙
管、ガイドリール、フェルト、巻きテンション調整カラーが順に設けられ、フェルト、ガ
イドリール、粕巻取り紙管は巻き取りリール支持金具に固定されたストッパーカラーと巻
きテンション調整カラーとの間に巻き取りリール支持金具に支承され、テンション調整カ
ラーは巻き取りリール支持金具と螺子により螺合し、テンション調整カラーを廻し、フェ
ルトを介した摩擦力により粕巻取り紙管による巻き取りテンションを調整可能に構成した
巻き取り装置が１列または複数列巻取り軸上に配されたテープ状粕巻き取り装置。
【請求項２】
巻き取りリール支持金具の鍔部分に支点ピンを中心にして開閉可能に開閉蓋を設け、開
閉錠の閉状態で錠が固定されたときには、その開閉蓋内側に貼り付けられた弾性材の弾性
圧縮力により巻き取り軸を保持するように構成される、請求項１に記載の装置。
【発明の詳細な説明】
【技術分野】
【０００１】
本発明は、多数列の帯状の打抜き紙を打抜き加工する打ち抜き加工装置からテープ状に
なって排出される複数列の抜き粕を各列ごとに巻き上げる抜き粕巻き上げ装置に関するも
のである。
【背景技術】
【０００２】
従来の上記抜き粕巻き上げ装置は、剥離案内ローラにて剥離されたテープ状の各列の抜
き粕が案内ローラを介して巻き上げ紙管に円板状に順次巻き上げられていくようになって
いる。巻き上げ紙管は滑りクラッチを介して駆動部にて回転され、巻き上げ抵抗によって
滑り回転するようになっている。
【０００３】
１本の巻き上げ紙管にて複数のテープ状の抜き粕をそれぞれ列状に巻き上げを行ったと
きに、各抜き粕の幅が狭いことや列ごとに巻きテンションが僅かづつ異なることにより、
各列の巻き上げ円板は真円にはなりにくく、巻き上げが進み、これが大径になるに従って
これの外径形状が楕円等、いびつになっていく。
【０００４】
このため、各列の巻き上げ円板が巻き上げ紙管にて同一周速度で巻き上げ回転されたと
きに、各巻き上げ円板ごとに、巻き上げ半径にバラツキが生じてしまい、各列ごとの抜き
粕の巻き上げテンションが上記巻き上げ円板の１回転ごとに変化してしまい、そのテンシ
ョン変化や外径形状の悪化が増大し巻き取り不能の状況に成る。
【０００５】
これを解決するために、各抜き粕にテンションを付与するテンションローラを設けてテ
ンションを一定にしようとしている。
【０００６】
【特許文献１】特開２００１−１０５３９３号公報
【発明の開示】
【発明が解決しようとする課題】
【０００７】
１本の巻き上げ紙管にて複数のテープ状の抜き粕をそれぞれ列状に巻き上げを行ったと
きに、各巻き上げ円板ごとに、巻きテンションが異なることや、幅が狭いために安定に巻
き難いことから、巻き上げ半径にバラツキが生じて真円状に巻けないことで紙切れを生じ
るなどの問題が有り、各抜き粕にテンションを付与するテンションローラを設けてテンシ
ョンを一定にしようとしていた。
【０００８】
しかし、テンションローラの可動範囲が限定されるため、巻き取りが進行するにつれ、
可動範囲を超える状況が発生すると再びテンション変化を生じ安定した巻取りができない
問題があった。本願はこれを解決しようとして、考案されたものである。  
【課題を解決するための手段】
【０００９】
上記目的を達成するための本発明に係る多列粕巻き上げ装置は、巻き取りリール支持金
具に、ストッパーカラー、フェルト、ガイドリール、粕巻取り紙管、ガイドリール、フェ
ルト、巻きテンション調整カラーが順に設けられ、フェルト、ガイドリール、粕巻取り紙
管は巻き取りリール支持金具に固定されたストッパーカラーと巻きテンション調整カラー
との間に巻き取りリール支持金具に支承され、テンション調整カラーは巻き取りリール支
持金具と螺子により螺合し、テンション調整カラーを廻し、フェルトを介した摩擦力によ
り粕巻取り紙管による巻き取りテンションを調整可能に構成した巻き取り装置を１列また
は複数列巻取り軸上に配したテープ状粕巻き取り装置として構成し各列を単独に所定テン
ションで巻き取ることを可能とする。
【００１０】
更に、巻き取りリール支持金具の鍔部分に支点ピンを中心にして開閉可能に開閉蓋を設
け、開閉錠の閉状態で錠が固定されたときには、その開閉蓋内側に貼り付けられた弾性材
の弾性圧縮力により巻き取り軸を保持するように構成し巻き取りリールと巻き取り軸の位
置関係が固定されないようにすることで各列の単独のリール巻き位置の調整を可能とする
。
【発明の効果】
【００１１】
本発明の請求項１に記載の封書作成装置によれば、各巻取り紙管ごとに単独で巻き取り
テンションが調整され、巻き取り紙管ごとに巻き径などの条件が異なっても各単独に巻き
テンションが保持されるために常時安定した張力で巻き取りが行なえる。
【００１２】
また、本発明の請求項２に記載の封書作成装置によれば、図１における開閉錠９を開放
し回転方向に自由に位置調整ができるため、各列ごとに適当な張力を与えた状態から巻き
取りを開始できるため、弛んだ状態から瞬間的にテンションが発生する衝撃で紙切れする
などの問題も解決出来き、巻取りリール支持金具８の巻き取り軸からの取り外し、取り付
けが開閉錠９によりワンタッチで行なうことができる。    
【発明を実施するための最良の形態】
【００１３】
図２に示されるように、テープ状粕の巻き取り軸３に支承された巻き取りリール支持金
具８は、その鍔部分に支点ピン２１を中心にして開閉可能に開閉蓋１１が設けられ、開閉
錠９、１０により閉状態で固定されたときには、その開閉蓋内側に貼り付けられたブラン
ケットなどの弾性材２０の弾性圧縮力により軸３を保持するように構成されている。  
【００１４】
開閉錠９を開方向に操作したときには、開閉蓋と本体金具間に設けられた圧縮スプリン
グ１９の開放力により開閉蓋１１が開いて、ブランケットによる軸の保持力が開放されて
、巻き取りリール支持金具８は巻き取り軸３に対して自由に移動可能な状態となる。  
【００１５】
巻き取りリール支持金具８には、ストッパーカラー４、フェルト１３、ガイドリール５
・６、粕巻取り紙管１４、巻きテンション調整カラー７が設けられている。
【００１６】
フェルト１３、ガイドリール５・６、粕巻取り紙管１４は巻き取りリール支持金具８に
固定されたストッパーカラー４と巻きテンション調整カラー７との間に巻き取りリール支
持金具８に支承され、テンション調整カラー７は巻き取りリール支持金具８と螺子１６に
より螺合している。
【００１７】
テンション調整カラー７表面に加工された工具差込用の穴１７に丸棒状の工具を差込み
、テンション調整カラー７を廻し、フェルトを介した摩擦力により粕巻取り紙管１４によ
る巻き取りテンションを調整可能な構造と成っている。
【００１８】
この巻取りリール支持金具８を、図１に示すように巻き取り軸３上に、粕の巻き上げ位
置に合わせ巻き取り粕の列数分設け、開閉錠９により巻き取り軸に固定する。巻き取り軸
は駆動源よりの駆動歯車列により巻き取り軸に固定された歯車１が駆動され、各巻き取り
リール支持金具８を介してのフェルトの摩擦力により巻き取り紙管に巻き取り力が伝達さ
れる構成と成っている。
【００１９】
このように構成することで、各巻取り紙管ごとに単独で巻き取りテンションが調整され
、巻き取り紙管ごとに巻き径などの条件が異なっても各単独に巻きテンションが保持され
るために常時安定した張力で巻き取りが行なえる。
【００２０】
また、開閉錠９を開放し回転方向に自由に位置調整ができるため、各列ごとに適当な張
力を与えた状態から巻き取りを開始できるため、弛んだ状態から瞬間的にテンションが発
生する衝撃で紙切れするなどの問題も解決出来ると共に、弾性材による弾性圧縮力で軸を
保持する構成のため、押し螺子方式などの方法の場合に螺子押し当て部に傷が生じたり、
螺子のあたり部を溝状や平面に削り取って傷が生じても保持部材の横方向や円周方向への
移動に問題が生じないようにした場合の円周方向での固定位置が決められてしまうという
問題も解決できる。
【００２１】
また、巻取りリール支持金具８の巻き取り軸からの取り外し、取り付けが開閉錠９によ
りワンタッチで行なうことができる。
【００２２】
このように構成することで、各巻取り紙管ごとに単独に巻きテンションが保持されるた
めに常時安定した張力で巻き取りが行なえ、また、各列ごとに適当な張力を与えた状態か
ら巻き取りを開始でき、弛んだ状態から瞬間的にテンションが発生する衝撃で紙切れする
などの問題も解決出来き、巻取りリールの取り外し、取り付けがワンタッチで行なうこと
ができる作業性の良い多列巻き上げ装置を提供することができる。  
【図面の簡単な説明】
【００２３】
【図１】本発明の実施の形態の巻き取り軸を示す図である。
【図２】本発明の実施の形態のリール保持部詳細図である。
【図３】従来装置の全体正面図である。
【図４】従来装置の巻き取り軸部を示す図である。
【符号の説明】
【００２４】
１…歯車、２…フレーム、３…巻き取り軸、４…ストッパーカラー、５，６…ガイドリー
ル、７…巻きテンション調整カラー、８…巻取りリール支持金具、９…開閉錠、１０…掛
け金、１１…開閉蓋、１２…回り止め、１３…フェルト、１４…粕巻取り紙管、１５…螺
子保護材、１６…螺子、１７…工具差込用穴、１８…調整ボルト、１９…バネ、２０…弾
性材、２１…支点ピン、２２…巻き取り紙管、２３…フレーム、２４…テンションローラ
、２５…引張バネ、２６…テンションレバー、２７…抜き粕、２８…案内ローラ、２９…
抜き装置、３０…搬送紙、３１…歯車、３２…摩擦クラッチ、３３…巻き取り回転軸、３
４…テーパ支持体
【図１】
2006008295.tif 000003
【図２】
2006008295.tif 000004
【図３】
2006008295.tif 000005
【図４】
2006008295.tif 000006